(57)【要約】【課題】巻線の端部における周囲との絶縁性を確保しつつ、短絡電磁力に対する耐性を確保することが可能な静止誘導器を提供する。【解決手段】静止誘導器は、鉄心と、複数の巻線と、第１絶縁物１５１と、第２絶縁物１５２とを備える。複数の巻線は鉄心の周囲に巻かれる。第１絶縁物１５１は複数の巻線のそれぞれの端部を挟み込むように端部に嵌合し、複数の巻線のそれぞれの端部に沿うように延びる。第２絶縁物１５２は第１絶縁物１５１の外側に嵌合する。第１および第２絶縁物１５１，１５２のそれぞれは、引張強度６０ＭＰａ以上の材質から構成される。第１および第２絶縁物１５１，１５２のそれぞれは、巻線が巻回される方向において第１および第２絶縁物の一部を不連続とする１つ以上の切れ目１５３を有する。第１絶縁物１５１の切れ目１５３と、第２絶縁物１５２の切れ目１５３とは、平面視において異なる位置に配置される。【選択図】図５
2018206985.tif 000002
【特許請求の範囲】
【請求項１】
鉄心と、
前記鉄心の周囲に巻かれた、複数の巻線と、
前記複数の巻線のそれぞれの端部を挟み込むように前記端部に嵌合し、前記複数の巻線のそれぞれの端部に沿うように延びる第１絶縁物と、
前記第１絶縁物の外側に嵌合する第２絶縁物とを備え、
前記第１および前記第２絶縁物のそれぞれは、引張強度６０ＭＰａ以上の材質から構成され、
前記第１および第２絶縁物のそれぞれは、前記巻線が巻回される方向において前記第１および第２絶縁物の一部を不連続とする１つ以上の切れ目を有し、
前記第１絶縁物の前記切れ目と、前記第２絶縁物の前記切れ目とは、平面視において異なる位置に配置される、静止誘導器。
【請求項２】
前記第２絶縁物は、前記第１絶縁物のうち前記複数の巻線の巻回される方向に交差する方向を向く第１絶縁物端面領域を挟み込むように嵌合し、前記第１絶縁物端面領域の延びる方向に沿うように延びる、請求項１に記載の静止誘導器。
【請求項３】
前記第２絶縁物は、前記第１絶縁物のうち前記複数の巻線の巻回される方向に交差する方向を向く第１絶縁物端面領域と、前記第１絶縁物端面領域に交差する１対の第１絶縁物縁面領域のうちの一方とのみに嵌合するように配置され、前記第１絶縁物端面領域の延びる方向に沿うように延び、
前記１対の第１絶縁物縁面領域のうちの一方は、前記複数の巻線のうち互いに隣接する１対の巻線のうち一方の巻線の端部と前記１対の巻線のうち他方の巻線の端部とが対向する側と反対側に配置される、請求項１に記載の静止誘導器。
【請求項４】
前記第１および第２絶縁物は、前記複数の巻線のそれぞれの内側の端部に嵌合する第１の部分と、前記複数の巻線のそれぞれの外側の端部に嵌合する第２の部分とを含み、
前記第１の部分における前記切れ目は線状であり、
前記第２の部分における前記切れ目は、前記複数の巻線のそれぞれの平面視における外側の端部から離れるにつれて前記巻回される方向に関する幅が大きくなる形状である、請求項１〜３のいずれか１項に記載の静止誘導器。
【請求項５】
前記第１および第２絶縁物はプレスボードまたは強化木である、請求項１〜４のいずれか１項に記載の静止誘導器。
【発明の詳細な説明】
【技術分野】
【０００１】
本発明は静止誘導器に関し、特に、静止誘導器の巻線の縁部に嵌合される絶縁物を備える静止誘導器に関するものである。
【背景技術】
【０００２】
静止誘導器においては、鉄心の周囲に複数の巻線が巻かれている。当該複数の巻線のそれぞれの端部は、周囲の部分との絶縁性の確保が困難になりやすい。なおここで巻線の端部とは、巻線を平面視したときの径方向に関する最も外側または内側に巻かれる平角電線などの電線の部分をいうものとする。そこで、巻線の端部における周囲の部分との絶縁性を確保する観点から、巻線の外周側の端部および内周側の端部に沿って、巻線の径方向に関して巻線の外側または内側に向けて開口した形状を有する絶縁物を、その開口した部分が巻線に密着するように巻線の全周に亘って複数個被せている。
【０００３】
当該絶縁物は、巻線の形状に合致するように設計および製作されることにより、巻線の端部に密着するように嵌合可能である。ただし、平角電線などを巻回して巻線を形成する工程における製造ばらつきにより、形成される巻線の形状が設計と異なる場合がある。このような場合に巻線に絶縁物を嵌合させれば、巻線と絶縁物との間に隙間が生じ、当該絶縁物が嵌められた端部とその周囲の部分との電気的な絶縁が性能が低下する場合がある。
【０００４】
そこで、たとえば特開平４−１０３１１５号公報（特許文献１）、特開平５−２２６１６６号公報（特許文献２）、特開平３−２０５８１１号公報（特許文献３）および実開昭５５−４５２１３号公報（特許文献４）に記載されるように、たとえば可撓性を有する絶縁物、すなわちシリコンゴムまたは軟らかい紙などが巻線の端部などに嵌合された構成が提案されている。これらの各文献においては、巻線を形成する工程における製造ばらつきにより巻線の形状が変化しても、巻線と絶縁物との密着性が確保され、絶縁性能の低下が抑制される。
【先行技術文献】
【特許文献】
【０００５】
【特許文献１】特開平４−１０３１１５号公報
【特許文献２】特開平５−２２６１６６号公報
【特許文献３】特開平３−２０５８１１号公報
【特許文献４】実開昭５５−４５２１３号公報
【発明の概要】
【発明が解決しようとする課題】
【０００６】
ただし上記の各文献においても、静止誘導器に短絡事故が発生すると、短絡電磁力が働く。具体的には、たとえば複数の巻線のうち鉄心の延びる方向に関して互いに隣接する１対の巻線間に流れる電流が同じ方向である場合は引き合う方向の短絡電磁力が働き、当該電流が逆方向である場合には反発する方向の短絡電磁力が働く。この短絡電磁力は大きいため、上記の各文献に示された従来の技術のように、絶縁物が可撓性を有する絶縁材料で形成されれば、絶縁物が短絡電磁力に耐えられずに変形し、併せて巻線自体も変形する恐れがある。特に、外鉄形変圧器のように鉄心の延びる方向に関して互いに隣接する１対の巻線の形状が互いに異なる場合、絶縁物が短絡電磁力により変形すれば、隣接する巻線から飛び出た部分の巻線が大きく変形する恐れがある。すなわち上記の各文献においては、たとえ巻線の端部に嵌合される絶縁物により巻線の周囲との間の絶縁性は確保できても、短絡事故による短絡電磁力に対する耐性を確保することが困難である。
【０００７】
本発明は上記の課題を解決するためになされたものであり、その目的は、巻線の端部における周囲との絶縁性を確保しつつ、短絡電磁力に対する耐性を確保することが可能な静止誘導器を提供することである。
【課題を解決するための手段】
【０００８】
本発明に係る静止誘導器は、鉄心と、複数の巻線と、第１絶縁物と、第２絶縁物とを備える。複数の巻線は鉄心の周囲に巻かれる。第１絶縁物は複数の巻線のそれぞれの端部を挟み込むように当該端部に嵌合し、複数の巻線のそれぞれの端部に沿うように延びる。第２絶縁物は第１絶縁物の外側に嵌合する。第１および第２絶縁物のそれぞれは、引張強度６０ＭＰａ以上の材質から構成される。第１および第２絶縁物のそれぞれは、巻線が巻回される方向において第１および第２絶縁物の一部を不連続とする１つ以上の切れ目を有する。第１絶縁物の切れ目と、第２絶縁物の切れ目とは、平面視において異なる位置に配置される。
【発明の効果】
【０００９】
本発明によれば、二重に嵌合された絶縁物と、それぞれの絶縁物の引張強度と、それぞれの絶縁物の切れ目およびその配置とにより、巻線の端部における周囲との絶縁性を確保しつつ、短絡電磁力に対する耐性を確保することが可能な静止誘導器を提供できる。
【図面の簡単な説明】
【００１０】
【図１】本発明の実施の形態１に係る静止誘導器である外鉄形変圧器の構成を示す斜視図である。
【図２】本発明の実施の形態１に係る静止誘導器の一部断面図である。
【図３】本発明の実施の形態１に係る静止誘導器に含まれる１つの巻線の全体に絶縁物が嵌合された態様を示す斜視図である。
【図４】本発明の実施の形態１に係る静止誘導器に含まれる１つの巻線の一部の領域、すなわち図３中の点線で囲まれた領域Ａのみに絶縁物が嵌合された態様を示す斜視図である。
【図５】図４中の絶縁物の好ましい第１例を示す概略図である。
【図６】図４中の絶縁物の好ましい第２例を示す概略図である。
【図７】図４中の絶縁物の好ましい第３例を示す概略図である。
【図８】低圧巻線を構成する巻線間の構成を、図２よりも詳細に示した一部断面図である。
【図９】本発明の実施の形態２に係る静止誘導器の一部断面図である。
【図１０】本発明の実施の形態２に係る静止誘導器に含まれる１つの巻線の一部の領域、すなわち図３中の点線で囲まれた領域Ａのみに絶縁物が嵌合された態様を示す斜視図である。
【図１１】図１０中の絶縁物の好ましい一例を示す概略図である。
【図１２】本発明の実施の形態２に係る静止誘導器の絶縁物における第２絶縁物縁面領域を配置すべき領域を説明するための一部断面図である。
【図１３】本発明の実施の形態３に係る静止誘導器である外鉄形変圧器の構成を示す斜視図である。
【図１４】図１３中のＸＩＶ−ＸＩＶ線に沿う部分の概略断面図である。
【図１５】図１４中のＸＶ−ＸＶ線に沿う部分の概略断面図である。
【図１６】本発明の実施の形態１に係る静止誘導器に含まれる１つの巻線の一部の領域、すなわち実施の形態１の図４と同様の領域のみに絶縁物が嵌合された態様を示す斜視図である。
【図１７】図１６中の絶縁物の好ましい一例を示す概略図である。
【発明を実施するための形態】
【００１１】
実施の形態１．
以下、本発明の各実施の形態に係る静止誘導器について図面を参照して説明する。
【００１２】
図１は、本発明の実施の形態１に係る静止誘導器の外観を示す斜視図である。図１においては、各構成の一部をカットして示している。図２は、本発明の実施の形態１に係る静止誘導器の一部断面図である。図３は、本発明の実施の形態１に係る静止誘導器に含まれる１つの巻線の全体に絶縁物が嵌合された態様を示している。
【００１３】
図１および図２を参照して、本発明の実施の形態１に係る静止誘導器１００は、外鉄形の変圧器である。静止誘導器１００は、鉄心１１０と、鉄心１１０の主脚部を中心軸としてその周囲に巻き回されて同軸配置された低圧巻線１２０および高圧巻線１３０とを備えている。静止誘導器１００はタンク１３５をさらに備えている。タンク１３５内には、絶縁媒体および冷却媒体である、絶縁油または絶縁ガスが充填されている。絶縁油は、たとえば鉱油、エステル油またはシリコン油である。絶縁ガスは、たとえば、ＳＦ6ガスまたはドライエアである。鉄心１１０、低圧巻線１２０および高圧巻線１３０は、タンク１３５内に収容されている。
【００１４】
低圧巻線１２０および高圧巻線１３０の中心軸の軸方向、すなわち図２の左右方向において、高圧巻線１３０は低圧巻線１２０同士に挟まれるように配置されている。高圧巻線１３０は、平角電線１４０を鉄心１１０の周囲に、直線部分と湾曲部分とを含むように（図３参照）巻き回して構成した断面形状が矩形状（たとえば平行四辺形状）の複数（ここでは４つ）の巻線１３１，１３２，１３３，１３４からなる。複数の巻線１３１，１３２，１３３，１３４は、巻線の中心軸の軸方向に積層されている。平角電線１４０は、横断面にて矩形状の電線部および電線部を被覆する絶縁被覆部（図示せず）を含む。
【００１５】
高圧巻線１３０を構成する複数の巻線１３１，１３２，１３３，１３４は、同軸配置されており互いに電気的に接続されて、その全体が単一の高圧巻線１３０として機能する。このため複数の巻線１３１，１３２，１３３，１３４は、もともとは別個の独立したコイルであってもよいが、その場合はこれらが互いに電気的に接続されている。たとえば図２においては巻線１３１の最下部と巻線１３２の最下部とが、巻線１３２の最上部と巻線１３３の最上部とが、巻線１３３の最下部と巻線１３４の最下部とが、それぞれ互いに接続されている。図２に示すように、巻線１３１〜１３４の中間の接続部における図２の左右方向の巻線間の間隔を狭くすることで、当該接続をより容易にしている。具体的には、巻線１３１〜１３４は当該巻線１３１〜１３４の中心軸に対して垂直な方向（図２の上下方向）に対し斜め方向に延びるように巻回されている。
【００１６】
同様に、低圧巻線１２０は、高圧巻線１３０の図２の左側においては、２つの巻線１２１，１２２により構成される。巻線１２１，１２２は、平角電線１４０を鉄心１１０の周囲に、直線部分と湾曲部分とを含むように（図３参照）巻き回して構成される。巻線１２１，１２２の断面形状は矩形状（たとえば平行四辺形状）である。巻線１２１，１２２は、巻線の中心軸の軸方向に積層されている。また低圧巻線１２０は、高圧巻線１３０の図２の右側においては、２つの巻線１２３，１２４により構成される。巻線１２３，１２４は、平角電線１４０を鉄心１１０の周囲に、直線部分と湾曲部分とを含むように（図３参照）巻き回して構成される。巻線１２３，１２４の断面形状は矩形状（たとえば平行四辺形状）である。巻線１２３，１２４は、巻線の中心軸の軸方向に積層されている。低圧巻線１２０は、３以上の複数の巻線を軸方向に積層して構成してもよい。
【００１７】
つまり、図２における高圧巻線１３０の左側の低圧巻線１２０を構成する複数の巻線１２１，１２２はもともとは別個の独立したコイルであってもよい。この場合、巻線１２１，１２２がたとえば図２の低圧巻線１２０の最下部において互いに電気的に接続されている。これにより、巻線１２１，１２２が全体として単一の低圧巻線１２０として機能する。同様に、図２における高圧巻線１３０の右側の低圧巻線１２０を構成する複数の巻線１２３，１２４はもともとは別個の独立したコイルであってもよい。この場合、巻線１２３，１２４がたとえば図２の低圧巻線１２０の最下部において互いに電気的に接続されている。これにより、巻線１２３，１２４が全体として単一の低圧巻線１２０として機能する。さらに巻線１２１，１２２と巻線１２３，１２４ともすべて電気的に接続されてこれらすべてが単一の低圧巻線１２０として機能してもよい。あるいは巻線１２１，１２２からなる低圧巻線１２０と、巻線１２３，１２４からなる低圧巻線１２０とが別個の低圧巻線１２０として高圧巻線１３０を挟むように並列接続されてもよい。
【００１８】
図３を参照して、低圧巻線１２０および高圧巻線１３０を構成する複数の巻線１２１〜１２４，１３１〜１３４のそれぞれは、中心軸方向から見た巻線の形状が概ね矩形状となるように直線状に延びる部分と、当該直線状に延びる部分同士を繋ぐように湾曲形状を有する部分とを有する。巻線１２１〜１２４，１３１〜１３４は図示されない鉄心１１０の周囲に巻回されている。そして当該複数の巻線１２１〜１２４，１３１〜１３４のそれぞれは、平面視における中心から外側に向けて巻回された平角電線１４０が重なる方向である径方向に関する外側の端部、および内側の端部に、絶縁物１５０が嵌合されている。つまり当該複数の巻線１２１〜１２４，１３１〜１３４の外側の端部には外側絶縁物１５０Ａが嵌合されている。当該複数の巻線１２１〜１２４，１３１〜１３４の内側の端部には内側絶縁物１５０Ｂが嵌合されている。たとえば図３に示すように、４つの直線状に延びる領域に嵌合される絶縁物と、４つの湾曲形状に延びる領域に嵌合される絶縁物とにより、外側絶縁物１５０Ａと内側絶縁物１５０Ｂとは構成される。外側絶縁物１５０Ａと内側絶縁物１５０Ｂとのそれぞれは平面視における複数の巻線１２１〜１２４，１３１〜１３４の外側の端部または内側の端部を隙間なく１周するように配置されている。絶縁物１５０は実際には図３に示す態様を有しているが、以降においては図を見やすくし理解しやすくする観点から、図３中の点線で囲まれた領域Ａに配置された絶縁物１５０について説明がなされる。
【００１９】
図４は、本発明の実施の形態１に係る静止誘導器に含まれる１つの巻線の一部の領域、すなわち図３中の点線で囲まれた領域Ａのみに絶縁物が嵌合された態様を示している。図４を参照して、絶縁物１５０は、第１絶縁物１５１と、第２絶縁物１５２とを備えている。第１絶縁物１５１は、複数の巻線（巻線１２１〜１２４，１３１〜１３４を意味する。以下同じ）のそれぞれの端部を、図４の上側および下側から挟み込むように、当該端部に嵌合している。また第１絶縁物１５１は、複数の巻線のそれぞれの端部において平角電線１４０が巻回される方向、すなわち図４の平面視における低圧巻線１２０，高圧巻線１３０の延びる周方向に沿うように延びている。第１絶縁物１５１は、巻線の上側に配置される領域と、巻線の下側に配置される領域と、それらの領域に交差し図４において巻線の外側に配置される領域との３つの領域を含む。第１絶縁物１５１は、高圧巻線１３０の周方向に交差する断面において概ねＵ字型を有している。このようなＵ字型を有する第１絶縁物１５１は、図４においては第１絶縁物１５１が嵌合される複数の巻線の径方向に向けて開口を有する態様となっている。なおここで巻線の端部とは、巻線を平面視したときの最も外側に巻回される平角電線の配置位置およびそれに隣接する領域、ならびに巻線を平面視したときの最も内側に巻回される平角電線の配置位置およびそれに隣接する領域を意味する。
【００２０】
第１絶縁物１５１は、複数の巻線のそれぞれの表面に直接対向し、場合によっては密着するように配置される。これに対し、第２絶縁物１５２は、第１絶縁物１５１の外側に嵌合する。したがって第２絶縁物１５２は第１絶縁物１５１を介して複数の巻線に嵌合しており、複数の巻線のそれぞれに直接対向および密着してはいない。第２絶縁物１５２は第１絶縁物１５１に直接対向するように嵌合するため、本実施の形態においては第１絶縁物１５１と同様のＵ字型の断面形状を有している。
【００２１】
なお図４は図３における外側絶縁物１５０Ａについて示しているが、図３における内側絶縁物１５０Ｂも外周絶縁物１５０Ａと同様の構成となっている。このことは以下の各図においても同様である。
【００２２】
図５は、図４中の絶縁物１５０の好ましい第１例を示す概略図である。図６は、図４中の絶縁物１５０の好ましい第２例を示す概略図である。図７は、図４中の絶縁物１５０の好ましい第３例を示す概略図である。
【００２３】
図５を参照して、絶縁物１５０の第１例に含まれる第１絶縁物１５１および第２絶縁物１５２のそれぞれは、強度の高い材質により形成される。具体的には、第１絶縁物１５１および第２絶縁物１５２のそれぞれは、引張強度が６０ＭＰａ以上の材質により構成される。たとえば、第１絶縁物１５１および第２絶縁物１５２は、プレスボードまたは強化木により形成されることが好ましい。
【００２４】
第１絶縁物１５１は、第１絶縁物端面領域１５１ａと、１対の第１絶縁物縁面領域１５１ｂ，１５１ｃとを有している。第１絶縁物端面領域１５１ａは、第１絶縁物１５１のうち複数の巻線の巻回される方向（図４の平面視における巻線の周方向）に交差する方向を向く領域であり、巻線の端面に対向する領域である。より具体的には、第１絶縁物端面領域１５１ａは、外側絶縁物１５０Ａにおいてはこれが嵌合される巻線の径方向における外側の端面に対向し、内側絶縁物１５０Ｂにおいてはこれが嵌合される巻線の径方向における内側の端面に対向し、巻線の端面を覆う領域である。また１対の第１絶縁物縁面領域１５１ｂ，１５１ｃとは、第１絶縁物端面領域１５１ａに交差する領域であり、巻線の端面に隣接する縁面に対向する領域である。より具体的には、第１絶縁物縁面領域１５１ｂは、図４における巻線の上側に配置される領域である。第１絶縁物縁面領域１５１ｃは、巻線の下側に配置される領域である。
【００２５】
本実施の形態においては、第２絶縁物１５２は、第１絶縁物１５１の第１絶縁物端面領域１５１ａ、第１絶縁物縁面領域１５１ｂ，１５１ｃのそれぞれと対向するように、第１絶縁物１５１の外側に嵌合される。すなわち第２絶縁物１５２は、第２絶縁物端面領域１５２ａと、１対の第２絶縁物縁面領域１５２ｂ，１５２ｃとを有している。第２絶縁物端面領域１５２ａは第１絶縁物端面領域１５１ａに対向および密着し、巻線の径方向に関する外側または内側に位置する。第２絶縁物縁面領域１５２ｂは第１絶縁物縁面領域１５１ｂに対向および密着し、巻線の上側に配置される。第２絶縁物縁面領域１５２ｃは第１絶縁物縁面領域１５１ｃに対向および密着し、巻線の下側に配置される。
【００２６】
第２絶縁物１５２は第１絶縁物１５１の外側に嵌合するように、図５における上下方向の寸法等が決定される。すなわち第１絶縁物端面領域１５１ａの最大寸法よりも、１対の第２絶縁物縁面領域１５２ｂ，１５２ｃ間の距離が大きくなるように、第２絶縁物１５２のＵ字型の断面形状が設計される。
【００２７】
第２絶縁物１５２は第１絶縁物１５１の第１絶縁物端面領域１５１ａを挟み込むように第１絶縁物１５１に嵌合している。そして第２絶縁物１５２は、第１絶縁物１５１の延びる方向すなわち巻線の周方向に沿うように延びている。
【００２８】
第１絶縁物１５１および第２絶縁物１５２のそれぞれは、第１絶縁物縁面領域１５１ｂ，１５１ｃおよび第２絶縁物縁面領域１５２ｂ，１５２ｃのそれぞれにおいて、以下の特徴を有している。すなわち第１絶縁物１５１および第２絶縁物１５２のそれぞれは、複数の巻線のそれぞれが巻回される方向において第１絶縁物１５１および第２絶縁物１５２の一部を不連続とするように（すなわち互いに間隔を隔てるように）、１つ以上の切れ目１５３ａを有している。つまり切れ目１５３ａの存在部分において、第１絶縁物１５１および第２絶縁物１５２を構成する材料が欠損し、その延びる方向すなわち巻線の巻回される周方向に沿って不連続となっている。切れ目１５３ａでは、図５の上下方向の厚み全体分に関して当該材料が欠損している。つまり、切れ目１５３ａの形成領域には第１絶縁物縁面領域１５１ｂ，１５１ｃまたは第２絶縁物縁面領域１５２ｂ，１５２ｃの構成材料がまったく配置されない。
【００２９】
図５に示す第１例においては、第１絶縁物１５１の切れ目１５３ａと、第２絶縁物１５２の切れ目１５３ａとは、平面視において異なる位置に配置されている。言い換えれば、第１絶縁物１５１の切れ目１５３ａと、第２絶縁物１５２の切れ目１５３ａとは、互いに重ならない位置に配置されている。なおここで互いに重ならない切れ目１５３ａとは、第１絶縁物縁面領域１５１ｂとそれに密着する第２絶縁物縁面領域１５２ｂとの切れ目同士であり、また第１絶縁物縁面領域１５１ｃとそれに密着する第２絶縁物縁面領域１５２ｃとの切れ目同士である。つまり第１絶縁物１５１の第１絶縁物縁面領域１５１ｂと第１絶縁物縁面領域１５１ｃとの切れ面１５３は互いに重なってもよい。同様に、第２絶縁物１５２の第２絶縁物縁面領域１５２ｂと第２絶縁物縁面領域１５２ｃとの切れ面１５３は互いに重なってもよい。
【００３０】
第１絶縁物１５１および第２絶縁物１５２において、切れ目１５３ａは、第１絶縁物１５１などが嵌合される巻線の径方向に関する内側の曲面、すなわち第１絶縁物縁面領域１５１ｂ，１５１ｃの最も内側の面から、径方向に関する外側に向けて延びている。
【００３１】
図５に示す第１例においては、第１絶縁物１５１および第２絶縁物１５２の切れ目１５３ａは、第１絶縁物縁面領域１５１ｂ，１５１ｃまたは第２絶縁物縁面領域１５２ｂ，１５２ｃの最も内側の面から、径方向に関する外側に向けて、平面視における巻線の周方向に沿う方向の幅が徐々に小さくなるように形成されている。つまり切れ目１５３ａは、径方向における外側に向けて尖った、三角形状に近い平面形状を有している。言い換えれば切れ目１５３ａは、第１絶縁物端面領域１５１ａまたは第２絶縁物端面領域１５２ａから離れるにつれて、巻線の周方向に沿う方向に関する幅が大きくなっている。
【００３２】
図５の第１例において、第１絶縁物１５１の切れ目１５３ａは、第１絶縁物縁面領域１５１ｂおよび第１絶縁物縁面領域１５１ｃのそれぞれに、周方向に関する中央線に対して対称となる位置に複数（図５においては３つずつ）形成されている。また図５においては同様に、第２絶縁物１５２の切れ目１５３ａは、第２絶縁物縁面領域１５２ｂおよび第２絶縁物縁面領域１５２ｃのそれぞれにおいて、周方向に関する中央線に対して対称となる位置に複数（図５においては２つずつ）形成されている。言い換えれば図５においては、第１絶縁物１５１のうち周方向に関する一方端とその一方端にもっとも近い切れ目１５３ａとの周方向に沿う距離と、第１絶縁物１５１のうち周方向に関する他方端とその他方端にもっとも近い切れ目１５３ａとの周方向に沿う距離とは等しい。なおこのことは以下の第２例、第３例についても同様である。
【００３３】
図５の第１例においては、第１絶縁物１５１および第２絶縁物１５２の切れ目１５３ａは、巻線の曲率が最も大きい位置に対応する位置、すなわち第１絶縁物１５１および第２絶縁物１５２の周方向に関する曲率が最も大きい位置に形成されることがより好ましい。このようにすれば、第１絶縁物１５１および第２絶縁物１５２を、これらが嵌合される巻線の平角電線１４０などの形状に沿って変形させやすくなる。なおこのことは以下の第２例、第３例についても同様である。
【００３４】
また図５の第１例においては、第１絶縁物縁面領域１５１ｂまたは第１絶縁物縁面領域１５１ｃに設けられる複数の切れ目１５３ａの、巻線の周方向に関する合計寸法（最も内側における最大値の合計値）は、第１絶縁物縁面領域１５１ｂ，１５１ｃの最も内側の曲面から径方向に、第１絶縁物端面領域１５１ａの表面に交わる箇所までの距離をＨとすれば（図４参照）、Ｈ×円周率÷２以上であることが好ましい。このように切れ目１５３ａの周方向の寸法（幅）を設定すれば、第１絶縁物１５１を巻線のコーナー部に沿わせて曲げたときに周方向において切れ目１５３ａを挟む位置の第１絶縁物縁面領域１５１ｂ，１５１ｃの部分が重なることを防止できる。なお上記の「周方向において切れ目１５３ａを挟む位置」とは、周方向において切れ目１５３ａの一方側および他方側に隣接する、切れ目１５３ａではない第１絶縁物縁面領域１５１ｂ，１５１ｃの構成材料が配置される位置を意味する。第２絶縁物１５２の切れ目１５３ａの寸法についても同様に設定することができる。
【００３５】
図６を参照して、絶縁物１５０の第２例の構成は、大筋で図５の第１例と同様である。このため図６において図５と同一の構成要素には同一の符号を付しその説明を繰り返さない。ただし図６の第２例においては、第１絶縁物１５１および第２絶縁物１５２の、第１絶縁物縁面領域１５１ｂ，１５１ｃおよび第２絶縁物縁面領域１５２ｂ，１５２ｃのそれぞれに、１つ以上の切れ目１５３ｂが形成されている。第１絶縁物１５１および第２絶縁物１５２における切れ目１５３ｂの形成される位置は、図５の切れ目１５３ａと同様である。ただし切れ目１５３ｂは、周方向に関する幅を有さず単に周方向に関して構成材料を不連続にするものである点において、周方向に関して幅を有する切れ目１５３ａとは異なっている。すなわち切れ目１５３ｂは、平面視において線状の形状を有している。
【００３６】
図７を参照して、絶縁物１５０の第３例の構成は、大筋で図５の第１例と同様である。このため図７において図５と同一の構成要素には同一の符号を付しその説明を繰り返さない。ただし図７の第３例においては、第１絶縁物１５１および第２絶縁物１５２の、第１絶縁物縁面領域１５１ｂ，１５１ｃおよび第２絶縁物縁面領域１５２ｂ，１５２ｃのそれぞれに、１つ以上の切れ目１５３ｃが形成されている。第１絶縁物１５１および第２絶縁物１５２における切れ目１５３ｃの形成される位置は、図５の切れ目１５３ａと同様である。ただし切れ目１５３ｃは、その形状において、三角形に近い平面形状を有する切れ目１５３ａとは異なっている。すなわち切れ目１５３ｃは、平面視において四角形状に近い平面形状を有している。なお切れ目１５３ｃも切れ目１５３ａと同様に、第１絶縁物端面領域１５１ａまたは第２絶縁物端面領域１５２ａから離れるにつれて、巻線の周方向に沿う方向に関する幅が大きくなっている。このため切れ目１５３ｃは、全体として台形に近い平面形状を有している。
【００３７】
次に、本実施の形態の作用効果について説明する。
本実施の形態の静止誘導器１００においては、複数の巻線のそれぞれの端部に挟み込むように第１絶縁物１５１が配置され、さらにその外側に嵌合するように第２絶縁物１５２が配置される。巻線の端部は短絡事故が起こりやすい箇所である。このため、鉄心１１０と巻線１２０，１３０との間の短絡事故、巻線１２０，１３０とタンク１３５との間の短絡事故、巻線１２０と巻線１３０との間の短絡事故を抑制することができる。
【００３８】
本実施の形態の第１絶縁物１５１および第２絶縁物１５２（絶縁物１５０）は、引張強度が６０ＭＰａ以上の絶縁材料、たとえばプレスボードまたは強化木などにより形成される。つまり、本実施の形態の絶縁物１５０は、たとえばシリコンゴムまたは軟らかい紙に比べて強度の高い絶縁材料により形成されている。このため、第１絶縁物１５１および第２絶縁物１５２が嵌合された巻線１２０，１３０は、短絡事故の際に巻線に生じる短絡電磁力を打ち消すだけの耐性を確保することができる。このため短絡事故による巻線の変形を抑制することができる。
【００３９】
なお第１絶縁物１５１および第２絶縁物１５２には切れ目１５３ａ〜１５３ｃが形成されている。このため切れ目が形成されない場合に比べ、絶縁物１５０が巻線の端部に嵌合された際に巻線の表面との隙間を少なくすることができる。このため、巻線の表面にしっかり密着するように第１絶縁物１５１および第２絶縁物１５２が巻線に嵌合される。これは絶縁物１５０が巻線の周方向に沿う方向に可撓性を有するため、巻線の製造ばらつきによりその形状および寸法が変化しても、巻線の形状等の変化に追従するように絶縁物１５０を変形させて嵌合できるためである。このような形状等の変化に追従するように絶縁物１５０が変形するのは、切れ目を有することにより形状を柔軟に変化させることができるためである。このため巻線の製造ばらつきにかかわらず、絶縁物１５０は巻線と良好に密着するように嵌合可能となる。したがって切れ目が存在しない場合に比べて第１絶縁物１５１、第２絶縁物１５２による絶縁性を向上させることができる。この切れ目１５３ａ〜１５３ｃは第１絶縁物縁面領域１５１ｂ，１５１ｃなどの厚み方向の全体に形成される。このことから第１絶縁物１５１および第２絶縁物１５２がいっそう柔軟に変形し、巻線の表面との隙間を少なくすることができる。
【００４０】
以上をまとめると、本実施の形態によれば、静止誘導器１００の巻線の端部の高い絶縁性能と、短絡電磁力に対する高い耐性との双方を兼ね備えさせることができる。
【００４１】
次に、第１絶縁物１５１の切れ目１５３ａ〜１５３ｃと、第２絶縁物１５２の切れ目１５３ａ〜１５３ｃとは、平面視において異なる位置に形成されている。このことにより以下の効果を奏する。図８はたとえば低圧巻線１２０を構成する巻線１２１，１２２間の構成を図２よりも詳細に示した一部断面図である。図８を参照して、静止誘導器１００においては、低圧巻線１２０を構成する巻線１２１，１２２間など隣接する巻線間が、層間絶縁物１６０で埋められている。なお図示しないが高圧巻線１３０を構成する巻線１３１〜１３４間についても同様である。
【００４２】
仮に第１絶縁物１５１の切れ目において、当該切れ目の周方向に関する両側に隣接する第１絶縁物縁面領域１５１ｂの部分同士が重なれば、当該重なった部分の厚みが第１絶縁物縁面領域１５１ｂの部分の２倍となり大きくなる。この大きな厚み部分が発生すると、層間絶縁物１６０で埋められるべき領域の体積が当該部分のため大きくなる。この結果、静止誘導器１００全体が大型化する問題が生じる。そこで本実施の形態のように切れ目１５３ａ〜１５３ｃのサイズを充分大きくすることで第１絶縁物１５１を曲げたときにおける切れ目でも第１絶縁物縁面領域１５１ｂ，１５１ｃの部分の重なりを防止すれば層間絶縁物１６０で埋めるべき領域を小さくすることができる。これにより、静止誘導器１００の大型化を回避することができる。
【００４３】
また、第１絶縁物１５１の切れ目１５３ａ〜１５３ｃと、第２絶縁物１５２の切れ目１５３ａ〜１５３ｃとの平面視における位置を異なるものとすることにより、平面視において２つの絶縁物のいずれか一方の切れ目と重なる位置においても、２つの絶縁物のいずれか他方の構成材料が配置されることにより絶縁性が確保される。これにより、切れ目が存在することによる絶縁性の低下を抑制することができる。
【００４４】
次に、本実施の形態においては、第２絶縁物１５２が第１絶縁物端面領域１５１ａを挟み込むようにその上下双方側から嵌合するＵ字型の形状を有する。これにより、第２絶縁物１５２を第１絶縁物１５１に対して密着するように固定可能となる。これにより、第１絶縁物１５１のみを有する場合に比べていっそう絶縁性を高めることができる。
【００４５】
その他、本実施の形態においては、図５〜図７に示す切れ目１５３ａ〜１５３ｃのように、切れ目の形状を適宜変更することができる。これにより、第１絶縁物１５１および第２絶縁物１５２の、巻線の周方向に関して曲げ可能な範囲を調整することができる。
【００４６】
以下、本実施の形態の更なる好ましい例について説明する。図３を再度参照して、上記のように、第１絶縁物１５１および第２絶縁物１５２は、複数の巻線のそれぞれの平面視における内側の端部に嵌合する内側絶縁物１５０Ｂ（第１の部分）と、その外側の端部に嵌合する外側絶縁物１５０Ａ（第２の部分）とを含んでいる。このとき、内側絶縁物１５０Ｂは図６に示す線状の切れ目１５３ｂを有し、外側絶縁物１５０Ａは図５または図７に示す形状の切れ目１５３ａ，１５３ｃであることが好ましい。外側絶縁物１５０Ａにおける切れ目１５３ａ，１５３ｃの形状は、巻線の平面視における外側の端部（すなわち第１絶縁物端面領域１５１ａ、第２絶縁物端面領域１５２ａ）から離れるにつれて、巻線の巻回される周方向に対する幅が大きくなる形状である。なお、内側絶縁物１５０Ｂでは外周側から切れ目が内周側に向かって形成されることが好ましい。
【００４７】
これは以下の理由による。切れ目は、絶縁性を確保する観点からはできるだけ小さい方が望ましい。ただし切れ目を小さくすると、絶縁物を曲げたときに切れ目に隣接する絶縁物の部分が重なりやすくなる。当該部分が重なれば上記のように静止誘導器１００全体が大型化する。この絶縁物の部分の重なりによる静止誘導器１００全体の大型化を防ぐ観点からは切れ目はできるだけ大きい方が好ましい。ただし切れ目を大きくすると、第１絶縁物１５１の切れ目と第２絶縁物１５２の切れ目とが重なりやすくなり、巻線の端部における絶縁性および短絡電磁力に対する耐性の確保が困難となる。このように切れ目が大きい場合および小さい場合のそれぞれのメリットおよびデメリットを考慮し、内側絶縁物１５０Ｂには線状の切れ目１５３ｂ、外側絶縁物１５０Ａには過剰に大きくない程度の切れ目１５０ａ，１５０ｃが形成されることが好ましい。
【００４８】
内側絶縁物１５０Ｂは、巻線の内側からこれを嵌め込むため、嵌合時に切れ目が広がる。これにより内側絶縁物１５０Ｂは、切れ目に隣接する内側絶縁物１５０Ｂの部分同士の重なりを心配する必要がなくなるため、絶縁性確保の観点から切れ目の幅の小さい図６の切れ目１５３ｂが用いられることが好ましい。これに対して外側絶縁物１５０Ａは、巻線への嵌合時に切れ目の幅が縮まる。これにより外側絶縁物１５０Ａは、切れ目の幅の大きい図５または図７の切れ目１５３ａ，１５３ｃが用いられることが好ましい。なお外側絶縁物１５０Ａを曲げた場合、巻線の平面視における外側から内側に向かうにつれ、外側絶縁物１５０Ａの切れ目の幅はより狭められる。このため巻線の内側における切れ目の幅をより大きくする観点から、切れ目１５３ａ，１５３ｃは、巻線の外側の端部（すなわち第１絶縁物端面領域１５１ａ、第２絶縁物端面領域１５２ａ）から離れるにつれて、巻線の巻回される周方向に対する幅が大きくなる形状であることが好ましい。
【００４９】
実施の形態２．
図９は、本発明の実施の形態２に係る静止誘導器の一部断面図であり、実施の形態１の図２に対応する。図１０は、本発明の実施の形態２に係る静止誘導器に含まれる１つの巻線の一部の領域を示しており、実施の形態１の図４に対応する。図１１は、図１０中の絶縁物２５０の好ましい一例を示す概略図であり、実施の形態１の図５に対応する。
【００５０】
図９〜図１１を参照して、本発明の実施の形態２に係る静止誘導器２００は、静止誘導器１００と大筋で同様の構成を有している。このため図９〜図１１において実施の形態１の図２、図４、図５に示した静止誘導器１００と同一の構成要素には同一の符号を付しその説明を繰り返さない。ただし本実施の形態においては、図９に示すように、当該複数の巻線１２１〜１２４，１３１〜１３４のそれぞれは、平面視における中心から外側に向けて巻回された平角電線１４０が重なる方向である径方向に関する外側の端部、および内側の端部に、絶縁物２５０が嵌合されている。図示されないが、絶縁物２５０も実施の形態１の図３の絶縁物１５０と同様に、外側絶縁物と内側絶縁物とが、複数の巻線１２１〜１２４，１３１〜１３４の外側の端部または内側の端部を隙間なく１周するように配置されている。
【００５１】
図１０および図１１に示すように、絶縁物２５０は、第１絶縁物１５１と、第２絶縁物２５２とを備えている。第１絶縁物１５１は実施の形態１と同様に、第１絶縁物端面領域１５１ａと、１対の第１絶縁物縁面領域１５１ｂ，１５１ｃとを有している。第１絶縁物１５１は実施の形態１と同様に複数の巻線のそれぞれの端部に図１０の上側および下側から当該端部を挟み込むように嵌合され、概ねＵ字型の断面形状を有している。一方、第２絶縁物２５２は、実施の形態１の第２絶縁物１５２と同様に、第１絶縁物１５１の外側に嵌合されるが、第２絶縁物端面領域２５２ａと、１つの第２絶縁物縁面領域２５２ｂとのみを有する、概ねＬ字型の断面形状を有している。なお第２絶縁物端面領域２５２ａおよび第２絶縁物縁面領域２５２ｂの構成および配置などは、実施の形態１の第２絶縁物端面領域１５２ａおよび第２絶縁物縁面領域１５２ｂのそれぞれの構成および配置などと同様である。つまり第２絶縁物２５２は第１絶縁物１５２に対し、第２絶縁物縁面領域１５２ｃに相当する部分を有さない点においてのみ異なっている。
【００５２】
図１１に示すように、絶縁物２５０の第１絶縁物１５１および第２絶縁物２５２の切れ目２５３ａの形状、配置などは、実施の形態１の図５における第１絶縁物１５１および第２絶縁物１５２の切れ目１５３ａの形状、配置などと同様である。なお図示されないが、絶縁物２５０の第１絶縁物１５１および第２絶縁物２５２に、実施の形態１の図６，図７に示す切れ目１５３ｂ，１５３ｃと同様の切れ目が形成されてもよい。
【００５３】
図１２は、絶縁物２５０における第２絶縁物縁面領域２５２ｂを配置すべき領域を説明するための、静止誘導器の一部断面図である。図１２を参照して、本実施の形態における第２絶縁物２５２は、第１絶縁物端面領域１５１ａと、第１絶縁物端面領域１５１ａに交差する１対の第１絶縁物縁面領域１５１ｂ，１５１ｃのうちの一方すなわち第１絶縁物縁面領域１５１ｂとのみに嵌合するように構成される。すなわち第２絶縁物２５２は、第２絶縁物端面領域２５２ａと、第２絶縁物縁面領域２５２ｂとのみを有する。第１絶縁物１５１の１対の第１絶縁物縁面領域のうち第２絶縁物と嵌合する第１絶縁物縁面領域１５１ｂは、複数の巻線１３１〜１３４のうち互いに隣接する１対の巻線のうち、一方の巻線の端部と他方の巻線の端部とが対向する側と反対側に配置される。つまり図１２において複数の巻線１３１〜１３４のうち互いに隣接するたとえば１対の巻線１３１，１３２を考える。このとき、一方の巻線１３１の端部（図１２の下側の端部）と他方の巻線１３２の端部（図１２の下側の端部）とが対向する側Ｉと反対側Ｏに、第１絶縁物縁面領域１５１ｂが配置される。その結果、一方の巻線１３１の端部（図１２の下側の端部）と他方の巻線１３２の端部（図１２の下側の端部）とが対向する側Ｉと反対側Ｏに、第２絶縁物縁面領域２５２ｂが配置される。その他の端部、すなわち巻線１３２，１３３の近接する部分、および巻線１３３，１３４の近接する部分についても同様に、端部同士が対向する側Ｉと反対側Ｏに、第１絶縁物縁面領域１５１ｂおよび第２絶縁物縁面領域２５２ｂが配置される。
【００５４】
高圧巻線１３０の電位は、たとえば図１２に示すように、巻線１３１側から巻線１３４側へ向けて漸次低くなる。具体的には、たとえば巻線１３１の上端の電位は１００であっても、巻線１３１，１３２の下端の電位は７５になり、巻線１３２，１３３の上端の電位は５０になる。さらに巻線１３３，１３４の下端の電位は２５になり、巻線１３４の上端の電位は０になる。ここで、端部同士が対向する側Ｉにおいては、端部同士が接触するために当該端部の電位はほぼ等しくなるが、それと反対側Ｏにおいては当該端部同士が接触しないためにその電位は異なったものとなる。したがって２つの隣り合う巻線が近接する端部において、電位が互いに異なる側（外側を向く側であり、図１２の反対側Ｏ）に第１絶縁物縁面領域１５１ｂおよび第２絶縁物縁面領域２５２ｂが配置される。
【００５５】
なお図１２における巻線１３１の上端および巻線１３４の上端のように他の巻線と近接対向しない端部Ｅにおいては絶縁物２５０の構成は適用しない。
【００５６】
以下、本実施の形態の作用効果について説明する。本実施の形態は実施の形態１と同様の作用効果の他、以下の作用効果を奏する。
【００５７】
本実施の形態においては、第２絶縁物２５２が、第１絶縁物１５２のようなＵ字型の断面形状ではなくＬ字型の断面形状を有している。このため第２絶縁物縁面領域１５２ｃに相当する部材を有さない分だけ、図１２の左右方向における第２絶縁物全体の寸法を小さくすることができる。このため静止誘導器２００全体の図１２での左右方向における寸法を小さくすることができ、静止誘導器２００を小型化することができる。なお第２絶縁物縁面領域２５２ｂが図１２の巻線同士が対向する側Ｉと反対側Ｏに配置されることにより、対向する側Ｉには第２絶縁物縁面領域が配置されなくなることから、対向する側Ｉの図１２の左右方向の寸法をより小さくすることができる。その結果、静止誘導器２００全体の寸法を小型化することができる。
【００５８】
実施の形態３．
図１３は、本発明の実施の形態３に係る静止誘導器の外観を示す斜視図であり、実施の形態１の図１に対応する。図１４は、図１３中のＸＩＶ−ＸＩＶ線に沿う部分の概略断面図である。図１５は、図１４中のＸＶ−ＸＶ線に沿う部分の概略断面図であり、実施の形態１の図２に対応する。
【００５９】
図１３〜図１５を参照して、本発明の実施の形態３に係る静止誘導器３００は、内鉄形の変圧器である。静止誘導器３００は、鉄心３１０と、鉄心３１０の主脚部を中心軸として巻き回されて同軸配置された低圧巻線３２０および高圧巻線３３０とを備えている。静止誘導器３００は、図示しないタンクをさらに備えている。タンク内には、実施の形態１と同様に、絶縁媒体および冷却媒体である、絶縁油または絶縁ガスが充填されている。鉄心３１０、低圧巻線３２０および高圧巻線３３０は、タンク内に収容されている。
【００６０】
高圧巻線３３０は、低圧巻線３２０の外側に位置している。高圧巻線３３０は、平角電線３４０を鉄心３１０の周囲に円盤状に巻き回して構成した複数（図１５では途中省略されるが６つ）の断面形状が矩形状（たとえば長方形状）の巻線３３１，３３２，３３３，３３４，３３５，３３６により構成される。巻線３３１〜３３６は、巻線の中心軸の軸方向に積層される。平角電線３４０は、横断面にて矩形状の電線部および電線部を被覆する絶縁被覆部（図示せず）を含む。高圧巻線３３０を構成する複数の巻線３３１〜３３６は、実施の形態１の巻線１３１〜１３４と同様に、同軸配置されて互いに電気的に接続されて、その全体が単一の高圧巻線３３０として機能する。このため複数の巻線３３１〜３３６は、もともとは別個の独立したコイルであってもよいが、その場合はこれらが互いに電気的に接続されている。
【００６１】
同様に、低圧巻線３２０は、平角電線３４０を鉄心３１０の周囲に円盤状に巻き回して構成した複数（図１５では途中省略されるが６つ）の断面形状が矩形状（たとえば長方形状）の巻線３２１，３２２，３２３，３２４，３２５，３２６により構成される。巻線３２１〜３２６は、巻線の中心軸の軸方向に積層される。つまり低圧巻線３２０の巻線３２１〜３２６は、高圧巻線３３０の巻線３３１〜３３６と同様に、同軸配置されて互いに電気的に接続されて、その全体が単一の低圧巻線３２０として機能する。このため複数の巻線３２１〜３２６は、もともとは別個の独立したコイルであってもよいが、その場合はこれらが互いに電気的に接続されている。
【００６２】
以上のように本実施の形態の静止誘導器３００は内鉄形の変圧器である点において、外鉄形の変圧器である静止誘導器１００と異なるが、基本的に本実施の形態は実施の形態１と大筋で同様の構成を有しているため、同様の構成についてはその説明を繰り返さない。
【００６３】
図１６は、本発明の実施の形態３に係る静止誘導器に含まれる１つの巻線の一部の領域を示しており、実施の形態１の図４に対応する。図１７は、図１６中の絶縁物３５０の好ましい一例を示す概略図であり、実施の形態１の図５に対応する。
【００６４】
図１６および図１７を参照して、本実施の形態においては、複数の巻線３２１〜３２６，３３１〜３３６のそれぞれは、平面視における中心から外側に向けて巻回された平角電線３４０が重なる方向である径方向に関する外側の端部、および内側の端部に、絶縁物３５０が嵌合されている。図示されないが、実施の形態１，２と同様、絶縁物３５０も、外側絶縁物と内側絶縁物とが、複数の巻線３２１〜３２６，３３１〜３３６の外側の端部または内側の端部を隙間なく１周するように配置されている。ただし実施の形態１と異なり本実施の形態においては巻線の平面外形が円形状である。これに伴い絶縁物３５０も、巻線の巻回される方向に沿うよう、その全体が円弧形状を有するため、平面形状が絶縁物１５０，２５０と若干異なる。
【００６５】
図１６および図１７に示すように、絶縁物３５０は、第１絶縁物３５１と、第２絶縁物３５２とを備えている。第１絶縁物３５１は平面形状が第１絶縁物１５１と若干異なるが、第１絶縁物１５１と同様に、第１絶縁物端面領域３５１ａと、１対の第１絶縁物縁面領域３５１ｂ，３５１ｃとを有している。また第２絶縁物３５２は平面形状が第２絶縁物１５２と若干異なるが、第２絶縁物１５２と同様に、第２絶縁物端面領域３５２ａと、１対の第２絶縁物縁面領域３５２ｂ，３５２ｃとを有している。これらの各部の構成および配置は、実施の形態１の第１絶縁物１５１および第２絶縁物１５２の各部の構成および配置と同様であるためその説明を繰り返さない。
【００６６】
また図１７に示すように、絶縁物３５０の第１絶縁物３５１および第２絶縁物３５２の切れ目３５３ａの形状、配置などは、実施の形態１の図５における第１絶縁物１５１および第２絶縁物１５２の切れ目１５３ａの形状、配置などと同様である。なお図示されないが、絶縁物３５０の第１絶縁物３５１および第２絶縁物３５２に、実施の形態１の図６，図７に示す切れ目１５３ｂ，１５３ｃと同様の切れ目が形成されてもよい。
【００６７】
上記のように、図１６および図１７の絶縁物３５０の第１絶縁物３５１および第２絶縁物３５２は、絶縁物１５０の第１絶縁物１５１および第２絶縁物１５２と同様に、Ｕ字型の断面形状を有する。しかし本実施の形態においても、実施の形態２と同様に、第２絶縁物がＬ字型の断面形状を有していてもよい。
【００６８】
本実施の形態の作用効果は、基本的に実施の形態１の作用効果と同様である。すなわち外鉄形の変圧器のみならず、内鉄形の変圧器にも、本発明に係る巻線の端部に嵌合させる絶縁物を適用することができ、これにより実施の形態１，２と同様の作用効果を奏することができる。
【００６９】
上記の実施の形態１，２においては、静止誘導器１００，２００として絶縁油または絶縁ガスが使用された外鉄形変圧器が用いられ、実施の形態３においては、静止誘導器３００として内鉄形変圧器が用いられている。しかしこれらに限らず、たとえば絶縁油または絶縁ガスを使用したリアクトルなど他の種類の静止誘導器においても本願発明の絶縁物を上記と同様に適用でき、上記と同様の作用効果を得ることができる。
【００７０】
以上に述べた各実施の形態（に含まれる各例）に記載した特徴を、技術的に矛盾のない範囲で適宜組み合わせるように適用してもよい。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１００，２００，３００  静止誘導器、１１０，３１０  鉄心、１２０，３２０  低圧巻線、１３０，３３０  高圧巻線、１２１，１２２，１２３，１２４，１３１，１３２，１３３，１３４，３２１，３２２，３２３，３２４，３２５，３２６，３３１，３３２，３３３，３３４，３３５，３３６  巻線、１３５  タンク、１４０，３４０  平角電線、１５０，２５０，３５０  絶縁物、１５０Ａ  外側絶縁物、１５０Ｂ  内側絶縁物、１５１，３５１  第１絶縁物、１５１ａ，３５１ａ  第１絶縁物端面領域、１５１ｂ，１５１ｃ，３５１ｂ，３５１ｃ  第１絶縁物縁面領域、１５２，２５２，３５２  第２絶縁物、１５２ａ，２５２ａ，３５２ａ  第２絶縁物端面領域、１５２ｂ，１５２ｃ，２５２ｂ，３５２ｂ，３５２ｃ  第２絶縁物縁面領域、１５３ａ，１５３ｂ，１５３ｃ，２５３ａ，３５３ａ  切れ目、１６０  層間絶縁物、Ｉ  対向する側、Ｏ  反対側。 
【図１】
2018206985.tif 000003
【図２】
2018206985.tif 000004
【図３】
2018206985.tif 000005
【図４】
2018206985.tif 000006
【図５】
2018206985.tif 000007
【図６】
2018206985.tif 000008
【図７】
2018206985.tif 000009
【図８】
2018206985.tif 000010
【図９】
2018206985.tif 000011
【図１０】
2018206985.tif 000012
【図１１】
2018206985.tif 000013
【図１２】
2018206985.tif 000014
【図１３】
2018206985.tif 000015
【図１４】
2018206985.tif 000016
【図１５】
2018206985.tif 000017
【図１６】
2018206985.tif 000018
【図１７】
2018206985.tif 000019